(57)【要約】【課題】エージェントの資料作成における作業性を向上させるＯＡ作業台を提供すること。【解決手段】作業者が立ち姿勢で作業しやすいような高さの作業面１を有し、この作業面１と、プリンタ７およびスキャナ３とが一体となっている。エージェントは、この作業面１の上で資料の作成をおこない、適宜、プリンタ７、スキャナ３およびプリンタ７とスキャナ３とを組み合わせたコピーを用いる。すなわち、このＯＡ作業台１００は、エージェントが資料を作成するための作業台となるので、エージェントがオフィス内で、作業場所、プリンタ設置場所、コピー設置場所の間を往来する必要がなくなり、それだけ作業効率が向上する。【選択図】        図１
2006011615.tif 000002
【特許請求の範囲】
【請求項１】
作業者が立ち姿勢で作業しやすいような高さの作業面を有し、当該作業面と、プリンタおよびスキャナとが一体となっていることを特徴とするＯＡ作業台。
【請求項２】
上面が作業面となる作業台ブロックと、ブロック形状のプリンタと、同じくブロック形状のスキャナとをそれぞれ一つまたは複数、積み重ねおよび／または並べた構成であり、少なくとも一つの作業台ブロックが最も上に位置することを特徴とするＯＡ作業台。
【請求項３】
前記作業面の高さは、８００ｍｍ以上１１００ｍｍ以下であることを特徴とする請求項１または２に記載のＯＡ作業台。
【請求項４】
前記作業面には、カッティングマットが設けられていることを特徴とする請求項１〜３のいずれか一つに記載のＯＡ作業台。
【請求項５】
前記スキャナおよびプリンタは、パーソナルコンピュータに接続可能であることを特徴とする請求項１〜４のいずれか一つに記載のＯＡ作業台。
【請求項６】
さらに、前記作業面の直下には、文具等を置ける隙間または引き出しが設けられていることを特徴とする請求項１〜５のいずれか一つに記載のＯＡ作業台。
【請求項７】
さらに、スキャナにより読み込んだ画像を表示する表示部を有することを特徴とする請求項１〜６のいずれか一つに記載のＯＡ作業台。
【請求項８】
前記読み込んだ画像を加工する画像加工手段を有することを特徴とする請求項７に記載のＯＡ作業台。
【発明の詳細な説明】
【技術分野】
【０００１】
この発明は、エージェントによる書類の作成作業を効率化できるＯＡ（Ｏｆｆｉｃｅ  Ａｕｔｏｍａｔｉｏｎ）作業台に関する。
【背景技術】
【０００２】
たとえば、クライアントに手渡す資料にはインパクトが必要である。このため、クライアントに対して営業をかけるエージェントは、印刷物を切り貼りしたり、コピーしたりして必要な資料を作成する。この作業のため、エージェントは、オフィス内の作業場（主に自分の部署の机や会議室など）とコピー、プリンタ、スキャナ等のＯＡ機器の間を頻繁に往来しなければならず、作業効率が極めて悪い。
【発明の開示】
【発明が解決しようとする課題】
【０００３】
そこで、この発明は、上記に鑑みてなされたものであって、ビジネス文書を作成する際、エージェントの作業効率を向上できるＯＡ作業台を提供することを目的とする。
【課題を解決するための手段】
【０００４】
上記目的を達成するため、この発明にかかるＯＡ作業台は、作業者が立ち姿勢で作業しやすいような高さの作業面を有し、当該作業面と、プリンタおよびスキャナとが一体となっていることを特徴とする。
【０００５】
エージェントは、プリンタを用いて印刷をおこない、作業台の上で書類を切り貼りし、スキャナにより書類の内容を読み込ませ、これをプリンタにより印刷する。すなわち、エージェントは当該ＯＡ作業台において殆どの資料作成作業をおこなうことができるので、オフィス内でプリンタ設置場所、スキャナ設置場所等と作業場所との間を頻繁に往復する必要がない。
【０００６】
また、この発明にかかるＯＡ作業台は、上面が作業面となる作業台ブロックと、ブロック形状のプリンタと、同じくブロック形状のスキャナとをそれぞれ一つまたは複数、積み重ねおよび／または並べた構成であり、少なくとも一つの作業台ブロックが最も上に位置することを特徴とする。
【０００７】
このように、各構成要素をブロック化してそれを積み重ねたりあるいは積み重ねたものを並べたりして、それぞれを組み合わせることで、様々な形状のＯＡ作業台を構築できる。具体的な構成例は実施例５に示す。また、作業台ブロックはその上面が作業面となっているから、少なくとも当該作業台ブロックが最も上に配置される。なお、当該最上に配置された作業台ブロックの横に、たとえばスキャナが配置されることを排除するものではない。
【０００８】
また、この発明にかかるＯＡ作業台は、上記発明において、前記作業面の高さは、８００ｍｍ以上１１００ｍｍ以下であることを特徴とする。
【０００９】
この高さの作業面によれば、エージェントが立ち姿勢で作業しやすい。なお、より好ましくは、前記作業面の高さは８５０ｍｍ以上１０００ｍｍ以下の高さとする。
【００１０】
また、この発明にかかるＯＡ作業台は、上記発明において、前記作業面には、カッティングマットが設けられていることを特徴とする。
【００１１】
ＯＡ作業台の作業面にカッティングマットを設けることで、当該作業面でのカッターナイフなどの使用が可能となり、エージェントの作業性が向上する。
【００１２】
また、この発明にかかるＯＡ作業台は、上記発明において、前記スキャナおよびプリンタは、パーソナルコンピュータに接続可能であることを特徴とする。
【００１３】
このＯＡ作業台にパーソナルコンピュータを接続して使用できれば、エージェントは殆ど全ての作業をこのＯＡ作業台でおこなうことができる。
【００１４】
また、この発明にかかるＯＡ作業台は、上記発明において、さらに、前記作業面の直下には、文具等を置ける隙間または引き出しが設けられていることを特徴とする。
【００１５】
作業台の作業面の直下に隙間を設ければ、文具等の作業に不可欠なものを収納できる。このようにすれば、作業に必要なものを他の場所に取りに行かずに済みかつ作業面上にこれらを放置することなく整理整頓できる。
【００１６】
また、この発明にかかるＯＡ作業台は、上記発明において、さらに、スキャナにより読み込んだ画像を表示する表示部を有することを特徴とする。
【００１７】
表示部により実際に作成した書類を客観的に見ることができる。たとえば、書類の配置、色合い、全体の印象等を確認できる。
【００１８】
また、この発明にかかるＯＡ作業台は、上記発明において、前記読み込んだ画像を加工する画像加工手段を有することを特徴とする。
【００１９】
さらに、画像加工手段を設けることで、作成した書類を画面上で加工できる。これにより、エージェントによる手作業を省略できる。たとえば、画像上で切り貼りの跡等を消去することができる。
【発明を実施するための最良の形態】
【００２０】
以下、この発明につき図面を参照しつつ詳細に説明する。なお、この実施例によりこの発明が限定されるものではない。また、以下に示す実施例の構成要素には、当業者が置換可能かつ容易なもの、あるいは実質的同一のものが含まれる。
【実施例１】
【００２１】
図１は、この発明の実施例１にかかるＯＡ作業台を示す斜視図である。図２は、図１に示したＯＡ作業台の使用状態を示す説明図である。このＯＡ作業台１００は、アイランド型のシステムキッチンに類似した形状であり、エージェントが立って作業するのに適した高さを備え、具体的には作業面１の高さが８００ｍｍ以上１１００ｍｍ以下である。より好ましくは、８５０ｍｍ以上１０００ｍｍ以下の高さとする。
【００２２】
作業面１の表面には、カッターナイフを用いることができるように、塩化ビニールやオレフィン製のカッティングマット２が着脱自在に設けられている。なお、透明のカッティングマット２を用いると、カッティングマット２と作業面１との間に書類を挟むことができるので便利である。
【００２３】
また、作業面１には、スキャナ３の読み取り面４が設けられている。この読み取り面４の蓋５は、その上面にもカッティングマット２が設けられている。なお、前記カッティングマット２の材料には、ガラスを用いてもよい。さらに、作業面１上には、液晶表示パネル等の表示部６が設けられている。
【００２４】
次に、ＯＡ作業台１００の側面には、プリンタ７の排紙口８が設けられている。この排紙口８には、複数のトレイ８ａが設けられている。ＯＡ作業台１００の作業面１下には、プリンタ７の本体が内蔵されている。また、この表示部６の支持部６ａには、ＵＳＢ端子９が設けられており、図示しないパーソナルコンピュータを接続できる。なお、作業面１は、幅１５００ｍｍ、奥行１０００ｍｍであるがこれに限定されない。
【００２５】
さらに、このＯＡ作業台１００の本体には、複数の電源コンセント１０が設けられている。このため、エージェントがパーソナルコンピュータを持参した場合でも、オフィス内で電源を探さずに済む。また、ＯＡ作業台１００の横に、図示しないサブデスクを設置してもよい。
【００２６】
このＯＡ作業台１００によれば、図２に示すように、適切な高さでエージェントＡが作業できる。すなわち、かかる高さの作業面１であれば、無理な姿勢をすることなく作業ができる。また、プリンタ７により印刷された書類は本体側面から排紙されるので、当該書類を取りやすい。エージェントＡは、必要な資料を作成するため、この作業面１に様々な資料、たとえばクライアントに提出するプレゼンテーション用の書類等を広げて作業をおこなう。
【００２７】
書類を切るときは、作業面１上のカッティングマット２を用いる。コピーをおこなうときはスキャナ３の蓋５を開けて、書類を読み取り面４にセットし、スキャンする。そして、スキャンした画像をプリンタ７により印刷する。また、プリンタ７は、パーソナルコンピュータを接続することで所望の内容を印刷できる。また、表示部６には、切り貼りした書類をスキャナ３の読み取り面４に設置して読み取ることで、表示できる。これにより、書類を客観的に見ることができる。また、切り貼りの跡が表示されるようであれば、画像処理できる。
【００２８】
図３は、画像の加工処理に関する説明図である。図４は、表示部の表示例を示す説明図である。このＯＡ作業台は、簡易のドローイング機能を有する。図３に示すように、タッチパネルや図１に示したキー１１等からなる入力部１０１と、表示された画像を加工する描画部１０２と、画像を表示する前記表示部６とを有する。なお、描画部１０２は、画像処理を実行するＣＰＵ（Ｃｅｎｔｒａｌ  Ｐｒｏｃｅｓｓｉｎｇ  Ｕｎｉｔ）およびＲＡＭ（Ｒａｎｄｏｍ  Ａｃｃｅｓｓ  Ｍｅｍｏｒｙ）と、描画のための専用ソフトウエア等を記憶しているＲＯＭ（Ｒｅａｄ  Ｏｎｌｙ  Ｍｅｍｏｒｙ）やディスク状記憶媒体などからなる記憶装置とを有する。
【００２９】
表示部６上には、図４に示すように、図１に示したスキャナ３で読み込んだ資料の画像６２が表示される。エージェントＡは、表示部６に表示された画面６１を見て、その資料が自己の要求に合致しているか否かを判断する。
【００３０】
当該表示された画像６２が、満足できないものである場合、エージェントＡはこれを画面６１上で加工できる。たとえば、当該画像６２に切り貼りの跡６３が線状に表示されている場合、画面６１上にはツールバー６４が表示されており、当該ツールバー６４には図形などを消去するコマンド６５が表示されているので、このコマンド６５をタッチして選択し、当該跡６３の上をなぞってこれを消去する。
【００３１】
また、入力された文字が誤っている場合や、文字の書体やサイズなどに不満がある場合、文字を画面６１上で入力することができる。具体的には、ツールバー６４のテキストボックスのコマンド６５を選択して、文字入力する。さらに、図形描画も可能である。このように画面６１上で修正された書類は、前記記憶装置に保存される。エージェントＡは、当該修正後の書類を図１に示したプリンタ７により印刷できる。
【００３２】
また、記憶装置に記憶している画像データを読み出して、表示部６に表示している画像に貼り付けることもできる。具体的には、エージェントＡが表示されている画面６１上で、所定コマンド６５を選択して挿入箇所を指定し、この指定した部分に記憶装置に記憶した画像データを呼び出す。そして、所望のファイルを選択し、当該画像６２を貼り付ける。なお、画面６１上で加工した画像データは記憶装置に保存される。また、エージェントＡは、当該加工後の画像６２をプリンタ７により印刷できる。
【００３３】
また、このＯＡ作業台１００は、図１に示したＵＳＢ端子９などによりパーソナルコンピュータと接続可能であり、プリンタ７およびスキャナ３を個別に使用できる。すなわち、エージェントＡは、パーソナルコンピュータからプリンタ７に対して印刷指令をおこない、所望の書類を印刷すると共に、スキャナ３により所望の書類を読み込んでパーソナルコンピュータに画像データとして取り込むことができる。
【００３４】
このＯＡ作業台１００は、エージェントＡが資料を作成するための作業台となるので、エージェントＡがオフィス内で、作業場所、プリンタ設置場所、コピー設置場所の間を往来する必要がなくなり、それだけ作業効率が向上する。なお、上記構成にさらにフィニッシャーを設けてもよい。
【実施例２】
【００３５】
図５−１〜図５−３は、この発明の実施例２にかかるＯＡ作業台を示す説明図である。図５−１は正面図、図５−２は側面図、図５−３は上面図である。このＯＡ作業台２００は、プリンタ２０１、フィニッシャー２０２、ソーター２０３、ＣＤ−ＲＷドライブ２０４、ＣＤラベルプリンタ２０５を作業台２０６の下に備えている。
【００３６】
また、上記実施例１の入力部１０１および描画部１０２を備える（図示省略）。描画部１０２は、画像処理を実行するＣＰＵおよびＲＡＭと、描画のための専用ソフトウエア等を記憶しているＲＯＭやディスク状記憶媒体などからなる記憶装置とを有する。
【００３７】
作業台２０６の上面には、塩化ビニール、オレフィン等からなるカッティングマット２０７が設けられている。透明のカッティングマット２０７を用いると、カッティングマット２０７と作業台２０６の表面との間に書類を挟むことができるので便利である。また、液晶ディスプレイからなる表示部２０８と、カードリーダ・ライタ２０９、ＵＳＢ端子２１０、イーサネット（登録商標）コネクタ２１１が設けられている。
【００３８】
作業台２０６の一部には、スキャナ２１２が設けられている。スキャナ２１２の読み取り面２１３には蓋２１４が設けられ、図５−２に示すように、上方に開けることができる。また、作業台２０６の作業面の直下、すなわち作業台２０６と前記プリンタ２０１等との間には隙間２１５が設けられている。この隙間２１５には、作業に用いるはさみ、カッターナイフ、テープ等の文具を置くことができる。この隙間２１５は、文具を置いたり取ったりしやすいように、１２０ｍｍ以上１５０ｍｍ以下とするのが好ましい。なお、この隙間２１５に引き出しを設けてもよい。
【００３９】
作業台２０６の高さは、上記実施例１と同様、エージェントＡが立って作業するのに適した高さを備え、具体的にはその高さが８００ｍｍ以上１１００ｍｍ以下の作業面を有する。より好ましくは、８５０ｍｍ以上から１０００ｍｍ以下の高さとする。作業台２０６は、幅１８００ｍｍ、奥行６００ｍｍである。前記表示部２０８は、スキャナ２１２で読み取った情報を表示するほか、ＵＳＢ端子２１０により接続したＰＤＡやパーソナルコンピュータの内容を表示する。
【００４０】
また、プリンタ２０１は、フィニッシャー２０２およびソーター２０３を備えることで、出来上がった資料を多数部印刷できかつステープルできる。また、プリンタ２０１とスキャナ２１２によりコピー機として機能する。具体的には、スキャナ２１２の読み取り面２１３にコピーしたい書類を置き、当該書類内容をスキャンし、この画像データをプリンタ２０１に送信し、印刷する。
【００４１】
印刷物は、ソーター２０３に排紙される。このソーター２０３は両側（ＯＡ作業台２００の正面および背面）が開放されているから、当該両側から印刷物を取ることができる。また、スキャナ２１２により読み取った画像の画像データは、前記記憶装置に記憶できる。また、ＣＤ−ＲＷドライブ２０４によりＣＤに記憶できる。さらに、画像データを記録したＣＤは、ＣＤラベルプリンタ２０５によりその表面に所望の内容を印刷できる。カードリーダ・ライタ２０９は、図示しないカード型のメモリを差し込んで、内部のデータを読み出したり、データを書き込んだりする。
【００４２】
また、このＯＡ作業台２００は、ＵＳＢ端子２１０などによりパーソナルコンピュータと接続可能であり、プリンタ２０１およびスキャナ２１２を個別に使用できる。すなわち、エージェントＡは、パーソナルコンピュータからプリンタ２０１に印刷指令をおこない、所望の書類を印刷すると共に、スキャナ２１２により所望の書類を読み込んでパーソナルコンピュータに画像データとして取り込むことができる。
【００４３】
このＯＡ作業台２００は、エージェントＡが資料を作成するための作業台となるので、エージェントＡがオフィス内で、作業場所、プリンタ設置場所およびコピー機設置場所の間を往来する必要がなくなり、それだけ作業効率が向上する。
【実施例３】
【００４４】
図６は、この発明の実施例３にかかるＯＡ作業台を示す斜視図である。このＯＡ作業台３００は、実施例１に示したＯＡ作業台１００と略同じ構成であるが、スキャナ３０１および表示部３０２を壁３０３に設けた点が異なる。その他の構成は実施例１のＯＡ作業台１００と同じであるので説明を省略する。
【００４５】
ＯＡ作業台３００の一辺には壁３０３が垂直に設けられている。当該壁３０３にはスキャナ３０１が設けられ、このスキャナ３０１は非使用状態では壁３０３の収納部３０４に収納されているが、使用時には前に倒して作業面１と平行にする。そして、蓋３０５を開いて、読み取り面３０６に所望の書類を置き、スキャンする。このスキャンした画像は表示部３０２に表示される。なお、スキャナ３０１の背面（蓋３０５側とは反対側）を含めて前記壁３０３には、メモボード３０７が設けられている。
【００４６】
また、スキャナ３０１を倒した状態で、作業面１とスキャナ３０１の背面との間は、１００ｍｍ以上２００ｍｍ以下の隙間が生じるようにするのが好ましい。このようにすれば、作業面１に書類や文具があってもこれらと干渉しないからである。以上のＯＡ作業台３００は、スキャナ３０１を壁３０３に向けたので、作業面１上を作業のみに用いることができる。
【実施例４】
【００４７】
図７は、この発明の実施例４にかかるＯＡ作業台の一例を示す斜視図である。このＯＡ作業台４００は、実施例１に示したＯＡ作業台１００と略同じ構成であるが、スキャナ４０１を別体に設けた点が異なる。その他の構成は実施例１のＯＡ作業台１００と同じであるので説明を省略する。このように、スキャナ４０１をＯＡ作業台４００の本体とは別体に設けかつその高さを本体の作業面１と同じとすることで、作業性を向上できる。
【００４８】
かかる構成では、スキャナ４０１の蓋４０２の上に書類を置くようになっていないので、蓋４０２を直に開けることができ、またスキャナ４０１を用いるときに書類などを移動する必要がない。なお、このスキャナ４０１を傾けて設置することで、蓋４０２の上に文具等を置き難くしてもよい。
【００４９】
図８は、この発明の実施例４にかかるＯＡ作業台の別の一例を示す斜視図である。このＯＡ作業台４５０は、実施例１に示したＯＡ作業台１００と略同じ構成であるが、作業面４５１がＬ字形状になっている点、スキャナ４５２を引き出し式にした点が異なる。その他の構成は実施例１のＯＡ作業台１００と同じであるので説明を省略する。このように、作業面４５１およびカッティングマット４５３をＬ字形状にすることで作業面積が増え、かつ複数人で使用しやすくなる。また、スキャナ４５２は取っ手４５４およびスライド部４５５を有する。このようにすれば、スキャナ４５２が必要なときに引き出して用いることができかつその際にスキャナ４５２の蓋４５６上に資料等があることはない。
【実施例５】
【００５０】
図９−１および図９−２は、この発明の実施例５にかかるＯＡ作業台を示す説明図である。図９−１は正面図、図９−２は上面図である。このＯＡ作業台５００は、プリンタ５０１、フィニッシャー５０２、ソーター５０３、メディアリーダ５０４、スキャナ５０５、キャビネット５０６、作業台ブロック５０７、液晶ディスプレイからなる表示部５０８がそれぞれブロック化しており、これらを自由に組み立ててＯＡ作業台５００とする点に特徴がある。
【００５１】
図９−１および図９−２に示す組み合わせは、プリンタ５０１をキャビネット５０６の上に載せ、その両側にフィニッシャー５０２およびソーター５０３を設置し、フィニッシャー５０２の上にスキャナ５０５を設置し、ソーター５０３の横に作業台ブロック５０７、キャビネット５０６およびメディアリーダ５０４を重ねて配置し、前記プリンタ５０１、ソーター５０３、メディアリーダ５０４の上に作業台ブロック５０７を並べ、その作業台ブロック５０７の上に表示部５０８を設置した構成である。作業台ブロック５０７の上面には、カッティングマット５１０が設けられている。なお、各ブロックの下には、キャスター５０９を取り付ける。
【００５２】
作業台ブロック５０７は両側（ＯＡ作業台５００の正面側および背面側）が開放されており、図９−２の例では右２つの作業台ブロック５０７の中には、はさみやテープなどの文具等を置くことができ、左側の作業台ブロック５０７内には、プリンタ５０１から排紙された書類Ｓがストックされる。当該左の作業台ブロック５０７は下方に図示しない穴が設けられており、当該穴はプリンタ５０１の図示しない排紙口と同じ位置に設けられる。
【００５３】
この作業台ブロック５０７は樹脂製であり、予備のものが複数用意されている。このため、作業面５５０を広げようとする場合は、たとえばフィニッシャー５０２の横にさらに当該作業台ブロック５０７を積み重ねて同じ高さにすればよい。なお、作業台ブロック５０７の高さは、図９−１では全て同じとしたが、異なる高さのものを用意してもよい。
【００５４】
プリンタ５０１は、図示しない前記排紙口が上部に設けられており、この排紙口と作業台ブロック５０７の図示しない穴との位置が一致しているので、図９−１に示すように、書類Ｓを作業台ブロック５０７内に排紙できる。ここで、作業台ブロック５０７は両側が開放されているので、エージェントＡは書類Ｓを両側から取ることができる。
【００５５】
次に、ソーター５０３は、複数の排紙トレイ５０３ａがブロック内に縦方向に配置されており、作業台ブロック５０７と同様に書類の取り出し易さを考慮して、両側が開放されている。また、このプリンタ５０１は、排紙方向を上面または側面の両方にすることが可能である。
【００５６】
スキャナ５０５は、上面が読み取り面となっており、読み取り面の蓋５１１は作業面５５０の一部を構成する。蓋５１１の上には、必要によりカッティングマットを設ける。メディアリーダ５０４は、カード型のメモリを差し込む複数種類のスロット５１２を有し、このスロット５１２に所定のカード型メモリを差し込んでデータの読み出しまたは保存をおこなう。また、メディアリーダ５０４には、ＵＳＢ端子５１３が設けられている。このＵＳＢ端子５１３によりパーソナルコンピュータやデジタルカメラ等との接続をおこなう。
【００５７】
作業面５５０の高さは、上記実施例１と同様に、エージェントＡが立って作業するのに適した高さを備え、具体的にはその高さが８００ｍｍ以上１１００ｍｍ以下の作業面５５０を有する。より好ましくは、８５０ｍｍ以上１０００ｍｍ以下の高さとする。また、プリンタ５０１やメディアリーダ５０４等のこのＯＡ作業台５００を構成する各ブロックは、図示しない接続端子を備え、当該各ブロックを積み重ねた場合に上下ブロックで接続端子同士がつながり、制御信号や画像データ等の送受信や電力供給が可能になる。
【００５８】
このＯＡ作業台５００の基本的な使用方法は、上記実施例１のＯＡ作業台１００と同じである。すなわち、エージェントＡは、このＯＡ作業台５００により、クライアントに渡す資料を効率よく作成することができる。
【００５９】
図１０は、このＯＡ作業台の変形例を示す説明図である。同図に示すように、このＯＡ作業台５００は、ブロックを組み変えて別の形態にすることができる。このＯＡ作業台５００は、プリンタ５０１の上に作業台ブロック５０７を置き、その横に、作業台ブロック５０７、キャビネット５０６、メディアリーダ５０４、スキャナ５０５の順番で重ねて配置した構成である。
【００６０】
表示部５０８は、作業台ブロック５０７上に配置される。かかる構成によれば、ＯＡ作業台５００をコンパクトにまとめることができる。なお、当該例では、プリンタ５０１は側面の排紙口から書類を排紙する。
【００６１】
図１１は、このＯＡ作業台の別の変形例を示す説明図である。同図に示すように、キャビネット５０６、プリンタ５０１、メディアリーダ５０４、作業台ブロック５０７、スキャナ５０５の順番に積み重ね、その上に表示部５０８を載せてもよい。かかる構成は、１人用である。また、図９〜図１１に示していない形態の組み合わせも適宜採用できる。
【００６２】
このように、ＯＡ作業台５００の構成要素をブロック化して、その組み合わせを自由におこなえるようにしたので、エージェントＡのニーズに応じて最適な形のＯＡ作業台５００を構築できる。
【図面の簡単な説明】
【００６３】
【図１】この発明の実施例１にかかるＯＡ作業台を示す斜視図。
【図２】図１に示したＯＡ作業台の使用状態を示す説明図。
【図３】画像の加工処理に関する説明図。
【図４】表示部の表示例を示す説明図。
【図５−１】この発明の実施例２にかかるＯＡ作業台を示す正面図。
【図５−２】この発明の実施例２にかかるＯＡ作業台を示す側面図。
【図５−３】この発明の実施例２にかかるＯＡ作業台を示す上面図。
【図６】この発明の実施例３にかかるＯＡ作業台を示す斜視図。
【図７】この発明の実施例４にかかるＯＡ作業台の一例を示す斜視図。
【図８】この発明の実施例４にかかるＯＡ作業台の別の一例を示す斜視図。
【図９−１】この発明の実施例５にかかるＯＡ作業台を示す正面図。
【図９−２】この発明の実施例５にかかるＯＡ作業台を示す上面図。
【図１０】このＯＡ作業台の変形例を示す説明図。
【図１１】このＯＡ作業台の別の変形例を示す説明図。
【符号の説明】
【００６４】
１  作業面、２  カッティングマット、３  スキャナ、４  読み取り面、５  蓋、６  表示部、７  プリンタ、１００  ＯＡ作業台
【図１】
2006011615.tif 000003
【図２】
2006011615.tif 000004
【図３】
2006011615.tif 000005
【図４】
2006011615.tif 000006
【図５−１】
2006011615.tif 000007
【図５−２】
2006011615.tif 000008
【図５−３】
2006011615.tif 000009
【図６】
2006011615.tif 000010
【図７】
2006011615.tif 000011
【図８】
2006011615.tif 000012
【図９−１】
2006011615.tif 000013
【図９−２】
2006011615.tif 000014
【図１０】
2006011615.tif 000015
【図１１】
2006011615.tif 000016